(57)【要約】【課題】アクセント文字の入力を迅速かつ簡易に行うことができる文字入力装置及びテープ印字装置を提供する。【解決手段】アクセント記号が点滅表示されている時に、文字入力キーが押下された場合は、キー文字選択テーブル６５から該押下された該文字入力キーに対応する「通常」又は「ＣＡＰＳロック」に登録されている文字を順次読み出し、この点滅表示されているアクセント記号が付されたアクセント文字のうち第１順位のアクセント文字を選択して、液晶表示装置６に点滅表示を行う（Ｓ３１：ＮＯ〜Ｓ３３）。また、同一の文字入力キーが再度押下された場合には、この「通常」又は「ＣＡＰＳロック」に、この点滅表示されているアクセント文字と同じ種類の他のアクセント文字が登録されている場合には、このアクセント文字を液晶表示装置６の表示画面に点滅表示する（Ｓ３１：ＹＥＳ〜Ｓ３７）。【選択図】  図１２
2004299175.tif 000002
【特許請求の範囲】
【請求項１】
複数個の文字が割り付けられ、押下される毎に前記複数個の文字のうちの１つが順次選択可能となるように構成されている文字入力キーを複数有する文字入力装置において、
前記複数個の文字は、アクセント記号が付されたアクセント文字を含むことを特徴とする文字入力装置。
【請求項２】
アクセント切替キーと、
前記アクセント切替キーが押下されたか否かを判定する第１判定手段と、
前記第１判定手段を介して該アクセント切替キーが押下されたと判定された場合には、前記文字入力キーを介してアクセント文字が入力可能な文字となるように切り替える入力文字切替手段と、
を有することを特徴とする請求項１に記載の文字入力装置。
【請求項３】
前記アクセント記号は、複数種類のアクセント記号を含み、前記複数種類のアクセント記号に予め付された所定の第１順番を記憶する第１記憶手段を備え、
前記入力文字切替手段は、前記アクセント切替キーが１回押下された場合には、前記第１順番の第１順位のアクセント記号が付されたアクセント文字が入力可能な文字となるように切り替えることを特徴とする請求項２に記載の文字入力装置。
【請求項４】
前記入力文字切替手段は、前記アクセント切替キーが複数回連続して押下された場合には、該アクセント切替キーが押下される毎に、アクセント記号の種類を前記第１順番に従って繰返し順次指定し、最後に指定されたアクセント記号の種類が付されたアクセント文字が入力可能な文字となるように切り替えることを特徴とする請求項３に記載の文字入力装置。
【請求項５】
前記入力文字切替手段を介してアクセント文字が入力可能となった場合に、押下された文字入力キーに該入力文字切替手段を介して入力可能となったアクセント記号の種類の付されたアクセント文字が割り付けられているか否かを判定する第２判定手段と、
前記第２判定手段を介してアクセント文字が割り付けられていると判定された場合には、該アクセント文字を入力可能な文字とする第１アクセント文字選択手段と、
を有することを特徴とする請求項３又は請求項４に記載の文字入力装置。
【請求項６】
前記各文字入力キーに割り付けられた同一アクセント記号の複数のアクセント文字に予め付された所定の第２順番を記憶する第２記憶手段を備え、
前記第１アクセント文字選択手段は、前記第２判定手段を介してアクセント文字が複数個割り付けられていると判定された場合には、該複数個のアクセント文字のうち前記第２順番の第１順位のアクセント文字を入力可能な文字とすることを特徴とする請求項５に記載の文字入力装置。
【請求項７】
前記第１アクセント文字選択手段は、押下された文字入力キーと同一の文字入力キーが連続して押下された場合には、該同一の文字入力キーが押下される毎に、前記第２順番に従ってアクセント文字を繰返し順次入力可能な文字とすることを特徴とする請求項６に記載の文字入力装置。
【請求項８】
前記入力文字切替手段を介して入力可能となったアクセント記号の種類の付された複数のアクセント文字に予め付された所定の第３順番を記憶する第３記憶手段を備え、
前記第１アクセント文字選択手段は、押下された文字入力キーと同一の文字入力キーが連続して押下された場合には、該同一の文字入力キーが押下される毎に、前記第２順番に従ってアクセント文字を順次入力可能な文字とし、該第２順番の最後の順位のアクセント文字が入力可能な文字とされた後は、引続き前記第３順番に従ってアクセント文字を繰返し順次入力可能な文字とすることを特徴とする請求項６に記載の文字入力装置。
【請求項９】
前記入力文字切替手段を介して入力可能となったアクセント記号の種類の付された複数のアクセント文字に予め付された所定の第３順番を記憶する第３記憶手段を備え、
前記文字データ入力手段は、前記入力文字切替手段を介してアクセント文字が入力可能となった場合に、いずれかの文字入力キーが押下されたか否かを判定する第３判定手段と、
前記第３判定手段を介して文字入力キーが押下されたと判定した場合には、入力可能となったアクセント文字のうち、前記第３順番の第１順位のアクセント文字を入力可能な文字とする第２アクセント文字選択手段と、
を有することを特徴とする請求項３又は請求項４に記載の文字入力装置。
【請求項１０】
前記第２アクセント文字選択手段は、押下された文字入力キーと同一の文字入力キーが連続して押下された場合には、該同一の文字入力キーが押下される毎に、前記第３順番に従ってアクセント文字を繰返し順次入力可能な文字とすることを特徴とする請求項９に記載の文字入力装置。
【請求項１１】
前記入力文字切替手段を介してアクセント文字が入力可能となった場合に、最初に押下された文字入力キーと異なる文字入力キーが押下されたか否かを判定する第４判定手段と、
前記第４判定手段を介して最初に押下された文字入力キーと異なる文字入力キーが押下されたと判定された場合には、前記第１アクセント文字選択手段又は第２アクセント文字選択手段を介して最後に入力可能な文字とされたアクセント文字を入力文字として確定するアクセント文字確定手段と、
を有することを特徴とする請求項５乃至請求項１０のいずれかに記載の文字入力装置。
【請求項１２】
各文字入力キーに割り付けられた複数個の文字に予め付された所定の第４順番を記憶する第４記憶手段と、
前記第１判定手段を介して前記アクセント切替キーが押下されていないと判定された場合には、該文字入力キーが押下される毎に、前記第４順番に従って１個ずつ繰返し順次入力可能な文字とする入力文字選択手段と、
を有することを特徴とする請求項２乃至請求項１１のいずれかに記載の文字入力装置。
【請求項１３】
各文字入力キーに割り付けられた複数個の文字のうちアクセント文字以外の文字に予め付された所定の第５順番を記憶する第５記憶手段と、
前記第１判定手段を介して前記アクセント切替キーが押下されていないと判定された場合には、該文字入力キーが押下される毎に、該文字入力キーに割り付けられたアクセント文字以外の文字を前記第５順番に従って１個ずつ繰返し順次入力可能な文字とする通常文字選択手段と、
を有することを特徴とする請求項２乃至請求項１１のいずれかに記載の文字入力装置。
【請求項１４】
装置本体表面部に配置される表示手段を備え、
前記表示手段は、前記アクセント切替キーが押下された場合には、前記入力文字切替手段を介して入力可能となるアクセント文字に付されるアクセント記号を表示することを特徴とする請求項２乃至請求項１３のいずれかに記載の文字入力装置。
【請求項１５】
装置本体に収納されるテープカセットと、装置本体表面部に配置される文字入力装置と、前記文字入力装置によって入力された文字を前記テープカセットに収納される長尺状のテープに印字する印字手段と、を備えたテープ印字装置において、
前記文字入力装置は、請求項１乃至請求項１４のいずれかに記載された文字入力装置であることを特徴とするテープ印字装置。
【発明の詳細な説明】
【０００１】
【発明の属する技術分野】
本発明は、複数個の文字が割り付けられた複数個の文字入力キーが装置本体表面部に配置され、該文字入力キーを押下する毎に割り付けられた複数個の文字のうちの１つが順次選択可能となるように構成された文字入力装置及びテープ印字装置に関するものである。
【０００２】
【従来の技術】
従来から、ウムラウト記号等が付されたアクセント文字の入力が可能となるように構成された文字入力装置や、複数個の文字が割り付けられた複数個の文字入力キーが装置本体表面部に配置され、該文字入力キーを押下する毎に割り付けられた複数個の文字のうちの１つが順次選択可能となるように構成された文字入力装置などが種々提案されている。
例えば、複数の文字コードから構成される少なくとも１つのテキストファイルを記憶するテキストメモリと、前記文字コードやデッド文字コードを入力するための入力手段と、前記テキストメモリに記憶されている文字コードあるいは入力手段により入力された文字コードに対応する文字を表示する表示手段とを備えた文書処理装置であって、デッド文字コードとそのデッド文字コードが示すデッド文字が使われるデッド合成文字を前記表示手段に表示するためのデッド合成文字表示データとを対応つけて記憶するデッド合成文字記憶手段と、入力手段にて入力されたコードがデッド文字コードか否かを判断する判断手段と、その判断手段がデッド文字コードであると判断した際に、そのデッド文字コードに対応するデッド合成文字表示データをデッド合成文字記憶手段から読み出して、該デッド合成文字表示データに基づいてデッド合成文字を表示手段に表示させる表示制御手段とから構成される第１の文字入力装置がある（例えば、特許文献１参照。）。また、操作部の入力キーに複数の文字を割り当てたテーブルを有し、前記入力キーを連続して押下することで該テーブルで割り当てられた複数の文字を循環的に変化させて文字入力を行う文字入力装置において、このテーブルで循環的に変化する文字にカナ文字、数字、英文字を混在させ、また、このテーブルで循環的に変化する文字にカナ小文字、英小文字を混在させた構成の第２の文字入力装置がある（例えば、特許文献２参照。）。
【０００３】
【特許文献１】
特開平６−２２３０５３号公報（段落（００２６）〜（００４０）、図４〜図７）
【特許文献２】
特開平９−２３２６１号公報（段落（００２０）〜（００３０）、図１〜図３）
【０００４】
【発明が解決しようとする課題】
しかしながら、上述した従来の第１の文字入力装置においては、ウムラウト記号を入力するためには、ウムラウトキー等を押下し、アクサンテギュ記号を入力するためには、アクサンテギュキーを押下する必要があるため、これらのキーを複数個設ける必要があり、１個のキーに複数個の文字を割り付けて、入力キーの個数を削減して小型化を図ることが困難であるという問題がある。また、ウムラウトキー等が押下されると、そのキーの押下により入力されたコードが比較テーブル内のデッド文字コードと比較され、ウムラウトのデッド合成コード群からデッド合成コード対が順次読み出され、そのデッド合成コードに対応するデッド合成文字が液晶ディスプレイの一覧表示領域に表示され、そして、先頭のデッド合成文字にカーソルが表示される構成になっているため、任意のデッド合成文字を特定して、文字入力キーの１回の押下で入力することができず、文字入力操作が煩雑となると共に、入力時間が長くなり操作効率が低下するという問題がある。また、上記第２の文字入力装置においては、テーブルで循環的に変化する文字にカナ文字、数字、英文字を混在させた構成となっているため、英文字にアクセント記号（例えば、ウムラウト記号やアクサンテギュ記号等）が付されたアクセント文字が含まれていない場合には、該アクセント文字を入力できないという問題がある。また、該テーブルの英文字にアクセント文字が含まれている場合には、所望のアクセント文字を入力するために、「カナ文字」→「数字」→「英文字」→「アクセント文字」と順番に文字入力キーを複数回連続して押下する必要があり、文字入力キーの押下回数が増加して文字入力操作が煩雑となると共に、入力時間が長くなり操作効率が低下するという問題がある。
【０００５】
そこで、本発明は、上述した問題点を解決するためになされたものであり、複数個の各文字入力キーに所定のアクセント文字を割り付けると共に、通常文字入力状態とアクセント文字が入力可能となるアクセント文字入力状態とを切り替えるアクセント切替キーを設けることにより、アクセント文字の入力を迅速かつ簡易に行うことができる文字入力装置及びテープ印字装置を提供することを目的とする。
【０００６】
【課題を解決するための手段】
前記目的を達成するため請求項１に係る文字入力装置は、複数個の文字が割り付けられ、押下される毎に前記複数個の文字のうちの１つが順次選択可能となるように構成されている文字入力キーを複数有する文字入力装置において、前記複数個の文字は、アクセント記号が付されたアクセント文字を含むことを特徴とする。
【０００７】
このような特徴を有する請求項１に係る文字入力装置によれば、文字入力キーに割り付けられた複数個の文字には、アクセント記号が付されたアクセント文字が含まれるため、該アクセント文字が割り付けられた文字入力キーを所定回数押下することによってアクセント文字を選択して入力することができる。
【０００８】
また、請求項２に係る文字入力装置は、請求項１に記載の文字入力装置において、アクセント切替キーと、前記アクセント切替キーが押下されたか否かを判定する第１判定手段と、前記第１判定手段を介して該アクセント切替キーが押下されたと判定された場合には、前記文字入力キーを介してアクセント文字が入力可能な文字となるように切り替える入力文字切替手段と、を有することを特徴とする。
【０００９】
このような特徴を有する請求項２に係る文字入力装置によれば、アクセント切替キーを押下することによって入力文字切替手段を介して文字入力キーに割り付けられたアクセント文字が入力可能な文字となるように切り替えられるため、該文字入力キーを所定回数押下することなく、直接アクセント文字を入力することができ、アクセント文字の入力を迅速かつ簡易に行うことが可能となる。
【００１０】
また、請求項３に係る文字入力装置は、請求項２に記載の文字入力装置において、前記アクセント記号は、複数種類のアクセント記号を含み、前記複数種類のアクセント記号に予め付された所定の第１順番を記憶する第１記憶手段を備え、前記入力文字切替手段は、前記アクセント切替キーが１回押下された場合には、前記第１順番の第１順位のアクセント記号が付されたアクセント文字が入力可能な文字となるように切り替えることを特徴とする。
【００１１】
このような特徴を有する請求項３に係る文字入力装置によれば、複数種類のアクセント記号には所定の第１順番が予め付されており、アクセント切替キーが１回押下された場合には、この所定の第１順番の第１順位のアクセント記号が付されたアクセント文字の入力が可能となる。従って、主として使用するアクセント文字に付されるアクセント記号に対して所定の第１順番の第１順位を予め付することによって、アクセント切替キーを１回押下すると主として使用するアクセント文字が選択可能となるため、アクセント切替キーの押下回数を確実に削減することができ、アクセント文字の入力を迅速かつ簡易に行うことが可能となる。また、アクセント切替キーによって切り替え可能なアクセント記号の種類を予め多く登録しておいても、アクセント切替キーの押下回数を確実に削減でき、引いては文字入力装置の操作性の向上を図ることができる。
【００１２】
また、請求項４に係る文字入力装置は、請求項３に記載の文字入力装置において、前記入力文字切替手段は、前記アクセント切替キーが複数回連続して押下された場合には、該アクセント切替キーが押下される毎に、アクセント記号の種類を前記第１順番に従って繰返し順次指定し、最後に指定されたアクセント記号の種類が付されたアクセント文字が入力可能な文字となるように切り替えることを特徴とする。
【００１３】
このような特徴を有する請求項４に係る文字入力装置によれば、入力文字切替手段は、所定の第１順番の第１順位のアクセント記号以外のアクセント記号を選択するためにアクセント切替キーが複数回押下された場合には、この所定の第１順番に従ってアクセント記号の種類を繰り返し順次指定すればよく、アクセント記号の種類を切り替える制御プログラム容量の増加を防止し、且つ、文字入力装置の操作性の向上を図ることができる。
【００１４】
また、請求項５に係る文字入力装置は、請求項３又は請求項４に記載の文字入力装置において、前記入力文字切替手段を介してアクセント文字が入力可能となった場合に、押下された文字入力キーに該入力文字切替手段を介して入力可能となったアクセント記号の種類の付されたアクセント文字が割り付けられているか否かを判定する第２判定手段と、前記第２判定手段を介してアクセント文字が割り付けられていると判定された場合には、該アクセント文字を入力可能な文字とする第１アクセント文字選択手段と、を有することを特徴とする。
【００１５】
このような特徴を有する請求項５に係る文字入力装置によれば、入力文字切替手段を介してアクセント文字が入力可能となった場合に、第１アクセント文字選択手段を介して、押下された文字入力キーに入力文字切替手段を介して入力可能となったアクセント記号の種類の付されたアクセント文字が割り付けられている場合には、該アクセント文字が入力可能となるため、他の種類のアクセント記号が付されたアクセント文字の入力を防止することができ、文字入力装置の更なる操作性の向上を図ることができる。また、アクセント文字が割り付けられていない文字入力キーを誤って押下してもアクセント文字以外の文字入力を確実に防止することができる。
【００１６】
また、請求項６に係る文字入力装置は、請求項５に記載の文字入力装置において、前記各文字入力キーに割り付けられた同一アクセント記号の複数のアクセント文字に予め付された所定の第２順番を記憶する第２記憶手段を備え、前記第１アクセント文字選択手段は、前記第２判定手段を介してアクセント文字が複数個割り付けられていると判定された場合には、該複数個のアクセント文字のうち前記第２順番の第１順位のアクセント文字を入力可能な文字とすることを特徴とする。
【００１７】
このような特徴を有する請求項６に係る文字入力装置によれば、各文字入力キーに割り付けられた同一アクセント記号の複数のアクセント文字には所定の第２順番が予め付されており、この同一アクセント記号のアクセント文字が複数割り付けられている文字入力キーが１回押下された場合には、この所定の第２順番の第１順位のアクセント文字が入力可能となる。従って、同一アクセント記号の付されたアクセント文字のうち主として使用するアクセント文字に対して所定の第２順番の第１順位を予め付することによって、この文字入力キーを１回押下すると主として使用するアクセント文字が選択可能となるため、文字入力キーの押下回数を確実に削減することができ、アクセント文字の入力を迅速かつ簡易に行うことが可能となる。
【００１８】
また、請求項７に係る文字入力装置は、請求項６に記載の文字入力装置において、前記第１アクセント文字選択手段は、押下された文字入力キーと同一の文字入力キーが連続して押下された場合には、該同一の文字入力キーが押下される毎に、前記第２順番に従ってアクセント文字を繰返し順次入力可能な文字とすることを特徴とする。
【００１９】
このような特徴を有する請求項７に係る文字入力装置によれば、第１アクセント文字選択手段は、同一アクセント記号のアクセント文字が複数割り付けられている文字入力キーが複数回押下された場合には、この所定の第２順番に従って各アクセント文字を繰返し順次入力可能な文字とすればよく、入力可能なアクセント文字を切り替える制御プログラム容量の増加を防止し、且つ、文字入力装置の操作性の向上を図ることができる。
【００２０】
また、請求項８に係る文字入力装置は、請求項６に記載の文字入力装置において、前記入力文字切替手段を介して入力可能となったアクセント記号の種類の付された複数のアクセント文字に予め付された所定の第３順番を記憶する第３記憶手段を備え、前記第１アクセント文字選択手段は、押下された文字入力キーと同一の文字入力キーが連続して押下された場合には、該同一の文字入力キーが押下される毎に、前記第２順番に従ってアクセント文字を順次入力可能な文字とし、該第２順番の最後の順位のアクセント文字が入力可能な文字とされた後は、引続き前記第３順番に従ってアクセント文字を繰返し順次入力可能な文字とすることを特徴とする。
【００２１】
このような特徴を有する請求項８に係る文字入力装置によれば、入力可能となったアクセント記号の種類の付されたアクセント文字が割り付けられた文字入力キーが複数回連続して押下された場合には、第１アクセント文字選択手段を介して、該同一の文字入力キーが押下される毎に、先ず所定の第２順番に従って各アクセント文字を順次入力可能な文字とし、引き続いて、入力可能となった同一のアクセント記号の種類の付された各アクセント文字に予め付された所定の第３順番に従って各アクセント文字を繰り返し順次入力可能な文字とすることができるため、最初に選択して押下した文字入力キーを連続して押下することによって、該文字入力キーに割り付けられていない所望のアクセント文字も選択することができ、文字入力装置の更なる操作性の向上を図ることができる。
【００２２】
また、請求項９に係る文字入力装置は、請求項３又は請求項４に記載の文字入力装置において、前記入力文字切替手段を介して入力可能となったアクセント記号の種類の付された複数のアクセント文字に予め付された所定の第３順番を記憶する第３記憶手段を備え、前記文字データ入力手段は、前記入力文字切替手段を介してアクセント文字が入力可能となった場合に、いずれかの文字入力キーが押下されたか否かを判定する第３判定手段と、前記第３判定手段を介して文字入力キーが押下されたと判定した場合には、入力可能となったアクセント文字のうち、前記第３順番の第１順位のアクセント文字を入力可能な文字とする第２アクセント文字選択手段と、を有することを特徴とする。
【００２３】
このような特徴を有する請求項９に係る文字入力装置によれば、入力文字切替手段を介してアクセント文字が入力可能となった場合に、いずれかの文字入力キーが押下された場合には、入力可能となったアクセント記号の種類の付された複数のアクセント文字に予め付された所定の第３順番の第１順位のアクセント文字が入力可能となる。従って、同一アクセント記号の付されたアクセント文字のうち主として使用するアクセント文字に対して所定の第３順番の第１順位を予め付することによって、いずれかの文字入力キーを１回押下すると主として使用するアクセント文字が選択可能となるため、文字入力キーの押下回数を確実に削減することができ、アクセント文字の入力を迅速かつ簡易に行うことが可能となる。また、アクセント文字が入力可能となった場合に、いずれかの文字入力キーを押下することにより所定の第３順番の第１順位のアクセント文字を入力することができるため、主として使用するアクセント文字を入力する際に、文字入力キーを選択する必要がなくなり、アクセント文字の入力をより迅速かつ簡易に行うことが可能となり、文字入力装置の操作性の向上を図ることができる。
【００２４】
また、請求項１０に係る文字入力装置は、請求項９に記載の文字入力装置において、前記第２アクセント文字選択手段は、押下された文字入力キーと同一の文字入力キーが連続して押下された場合には、該同一の文字入力キーが押下される毎に、前記第３順番に従ってアクセント文字を繰返し順次入力可能な文字とすることを特徴とする。
【００２５】
このような特徴を有する請求項１０に係る文字入力装置によれば、入力文字切替手段を介してアクセント文字が入力可能となった場合に、いずれかの文字入力キーが複数回連続して押下された場合には、第２アクセント文字選択手段を介して、該同一の文字入力キーが押下される毎に、同一のアクセント記号の種類の付された各アクセント文字に予め付された所定の第３順番に従って各アクセント文字を繰り返し順次入力可能な文字とすることができるため、最初に押下した文字入力キーを連続して押下することによって所望のアクセント文字を選択することができ、文字入力装置の更なる操作性の向上を図ることができる。
【００２６】
また、請求項１１に係る文字入力装置は、請求項５乃至請求項１０のいずれかに記載の文字入力装置において、前記入力文字切替手段を介してアクセント文字が入力可能となった場合に、最初に押下された文字入力キーと異なる文字入力キーが押下されたか否かを判定する第４判定手段と、前記第４判定手段を介して最初に押下された文字入力キーと異なる文字入力キーが押下されたと判定された場合には、前記第１アクセント文字選択手段又は第２アクセント文字選択手段を介して最後に入力可能な文字とされたアクセント文字を入力文字として確定するアクセント文字確定手段と、を有することを特徴とする。
【００２７】
このような特徴を有する請求項１１に係る文字入力装置によれば、入力文字切替手段を介してアクセント文字が入力可能となった場合に、最初に押下した文字入力キーと異なる文字入力キーを押下することによって、第１アクセント文字選択手段又は第２アクセント文字選択手段を介して最後に入力可能な文字とされたアクセント文字が入力文字として確定されるため、所望のアクセント文字を入力文字として確定するために決められた確定キーを押下すること無く、容易に確定することができ、文字入力装置の操作性の更なる向上を図ることができる。
【００２８】
また、請求項１２に係る文字入力装置は、請求項２乃至請求項１１のいずれかに記載の文字入力装置において、各文字入力キーに割り付けられた複数個の文字に予め付された所定の第４順番を記憶する第４記憶手段と、前記第１判定手段を介して前記アクセント切替キーが押下されていないと判定された場合には、該文字入力キーが押下される毎に、前記第４順番に従って１個ずつ繰返し順次入力可能な文字とする入力文字選択手段と、を有することを特徴とする。
【００２９】
このような特徴を有する請求項１２に係る文字入力装置によれば、アクセント切替キーを押下することなく、同一文字入力キーを複数回連続して押下した場合には、該文字入力キーが押下される毎に、この文字入力キーに割り付けられた複数個の文字は、予め付された所定の第４順番に従って１個ずつ繰返し順次入力可能となるため、該アクセント切替キーを押下することなくアクセント文字を入力することができる。
【００３０】
また、請求項１３に係る文字入力装置は、請求項２乃至請求項１１のいずれかに記載の文字入力装置において、各文字入力キーに割り付けられた複数個の文字のうちアクセント文字以外の文字に予め付された所定の第５順番を記憶する第５記憶手段と、前記第１判定手段を介して前記アクセント切替キーが押下されていないと判定された場合には、該文字入力キーが押下される毎に、該文字入力キーに割り付けられたアクセント文字以外の文字を前記第５順番に従って１個ずつ繰返し順次入力可能な文字とする通常文字選択手段と、を有することを特徴とする。
【００３１】
このような特徴を有する請求項１３に係る文字入力装置によれば、アクセント切替キーを押下することなく、同一文字入力キーを複数回連続して押下した場合には、通常文字選択手段介して、該文字入力キーが押下される毎に、該文字入力キーに割り付けられたアクセント文字以外の文字が所定の第５順番に従って１個ずつ繰返し順次入力可能な文字となるため、アクセント文字以外の文字を迅速に選択でき、文字入力装置の更なる操作性の向上を図ることができる。
【００３２】
また、請求項１４に係る文字入力装置は、請求項２乃至請求項１３のいずれかに記載の文字入力装置において、装置本体表面部に配置される表示手段を備え、前記表示手段は、前記アクセント切替キーが押下された場合には、前記入力文字切替手段を介して入力可能となるアクセント文字に付されるアクセント記号を表示することを特徴とする。
【００３３】
このような特徴を有する請求項１４に係る文字入力装置によれば、アクセント切替キーが押下された場合には、入力可能となるアクセント文字に付されるアクセント記号が装置本体表面部に配置される表示手段を介して表示されるため、ユーザーは表示されたアクセント記号を見ながらアクセント切替キーの押下によって入力可能となるアクセント文字の種類を確認することができ、文字入力装置の操作性の向上を図ることができる。
【００３４】
更に、請求項１５に係るテープ印字装置は、装置本体に収納されるテープカセットと、装置本体表面部に配置される文字入力装置と、前記文字入力装置によって入力された文字を前記テープカセットに収納される長尺状のテープに印字する印字手段と、を備えたテープ印字装置において、前記文字入力装置は、請求項１乃至請求項１４のいずれかに記載された文字入力装置であることを特徴とする。
【００３５】
このような特徴を有する請求項１５に係るテープ印字装置によれば、装置本体表面部に配置される文字入力装置は、請求項１乃至請求項１０のいずれかに記載された文字入力装置であるため、アクセント切替キーを押下することによって入力文字切替手段を介して文字入力キーに割り付けられたアクセント文字が入力可能な文字となるように切り替えられる。従って、該文字入力キーを所定回数押下することなく、直接アクセント文字を入力することができ、アクセント文字の入力を迅速かつ簡易に行うことが可能となる。また、主として使用するアクセント文字に付されるアクセント記号に対して所定の第１順番の第１順位を予め付することによって、アクセント切替キーを１回押下すると主として使用するアクセント文字が選択可能となるため、アクセント切替キーの押下回数を確実に削減することができ、アクセント文字の入力を迅速かつ簡易に行うことが可能となる。また、アクセント切替キーによって切り替え可能なアクセント記号の種類を予め多く登録しておいても、アクセント切替キーの押下回数を確実に削減でき、引いてはテープ印字装置の操作性の向上を図ることができる。
【００３６】
【発明の実施の形態】
以下、本発明に係る文字入力装置及びテープ印字装置を該文字入力装置が装置本体表面部に配置されたテープ印字装置について具体化した第１実施形態乃至第３実施形態に基づき図面を参照しつつ詳細に説明する。先ず、第１実施形態に係るテープ印字装置の概略構成について図１乃至図７に基づき説明する。
図１乃至図３に示すように、テープ印字装置１は、合成樹脂製の本体２と、この本体２の背面部全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部５が穿設され、この窓部５の下側には液晶表示装置（ＬＣＤ）６が配設されている。また、本体２の液晶表示装置６の左側側面部には、カットレバー７が設けられ、このカットレバー７を親指などで内側に押すことにより印字されて上端部に形成されるテープ排出口から排出された感熱テープ９（図４参照）を後述のカッター１０（図４参照）にて切断することができる。
【００３７】
また、本体２の長手方向のほぼ下半分側の部分の左右幅寸法は、その上側部分の左右幅寸法よりも少し狭く形成されると共に、左右側面の角部も丸く形成され、把持部１１を構成している。また、背面カバー３の把持部１１に対応する部分の左右側面の角部も丸く形成されている。また、本体２に取り付けられる背面カバー３は、テープカセット２６に対向する部分から把持部１１にかけてテープ印字装置１の厚さ寸法がなだらかに小さくなるように形成され、把持部１１の厚さ寸法は、テープカセット２６が収納されている部分の厚さ寸法よりも小さくなるように形成され、操作者の手に持ちやすいように把持部１１が構成されている。
【００３８】
また、把持部１１の表面には、軟質ゴム製等で形成され、文書データからなるテキストを作成するためのアクセント入力キー１２１及び各文字入力キー１２２〜１３０、「＠」マークや「＆」記号等を入力する記号キー１３１、アルファベットの大文字、小文字及び数字の文字種類を押下する毎に切り替える文字種切替キー１３２、太字、斜字、文字飾り等を選択するファンクションキー１３、入力した文字を押下する毎に１文字削除するバックスペースキー１４、テキストの印字を指令する印字キー１５、文字等のキャラクタを表示する液晶表示装置６上でカーソルを左右に移動させるカーソルキー１６、電源をオン・オフする電源ボタン１７、文字選択等を指令するリターンキー１８が配置されている。
【００３９】
また、アクセント入力キー１２１は、文字の種類がアルファベットの大文字又は小文字の入力時に押下された場合には、後述のように所定のアルファベットの上側に付されるウムラウト記号７１、アクサンテギュ記号７２、アクサングラーブ記号７３、アクサンシルコンフレックス記号７４、チルダー記号７５の各アクセント記号を押下する毎に切り替えて入力できるように構成されている（図７、図１１参照）。一方、このアクセント入力キー１２１は、文字の種類が数字の入力時に押下された場合には、「１」を入力できる。
【００４０】
また、各文字入力キー１２２〜１３０は、文字の種類がアルファベットの大文字又は小文字の入力時に押下された場合には、上面部に印刷されているアルファベットや後述のアクセント文字（図６参照）又はスペースを押下する毎に順次切り替えて入力できるように構成されている。
一方、各文字入力キー１２２〜１３０は、文字の種類が数字の入力時に押下された場合には、上面部に印刷されている数字を押下することによって入力できるように構成されている。
例えば、文字入力キー１２２の上面部に「ａ、ｂ、ｃ、２」の文字が印刷されている場合には、文字の種類がアルファベットの大文字の場合には、この文字入力キー１２２を押下する毎に液晶表示装置６上のカーソル位置に「Ａ」、「Ｂ」、「Ｃ」、「ウムラウトＡ」等の文字が順次表示され、リターンキー１８又は他のキー１２３〜１３２を押下することによって入力文字が確定される。また、文字の種類がアルファベットの小文字の場合には、この文字入力キー１２２を押下する毎に液晶表示装置６上のカーソル位置に「ａ」、「ｂ」、「ｃ」、「ウムラウトａ」等の文字が順次表示され、リターンキー１８又は他のキー１２３〜１３２を押下することによって入力文字が確定される。また、文字の種類が数字の場合には、この文字入力キー１２２を押下すると液晶表示装置６上のカーソル位置に「２」の文字が表示され、入力文字が確定される。
【００４１】
また、図３及び図４に示すように、本体２の把持部１１の裏面部には、アクセント入力キー１２１、各文字入力キー１２２〜１３０、記号入力キー１３１、文字種切替キー１３２、ファンクションキー１３、バックスペースキー１４、印字キー１５、カーソルキー１６、電源ボタン１７、リターンキー１８が上面部に配置される基板２０が設けられている。また、本体２の把持部１１と液晶表示装置６との間の裏面部には、後述の制御回路部５０（図５参照）が構成される制御基板２１が配設されている。そして、この制御基板２１のサーマルヘッド３３に対して反対側で本体２の長手方向上側には、不図示のギヤー列を介してプラテンローラ２３を回転駆動するテープ送りモータ２５が本体２の裏面部に配設されている。
また、本体２の各基板２０、２１、液晶表示装置６、及びテープ送りモータ２５等の背面側の開口部には、テープカセット２６が収納されるカセット収納部２７や複数個（第１実施形態では４本）の乾電池２８が２本ずつ直列に収納される電池収納部２９が背面部に形成される合成樹脂製の仕切り部材３０が各ネジ３１によってネジ止めされている。
【００４２】
また、カセット収納部２７のカットレバー７側の端縁部近傍の底面部には、サーマルヘッド３３が取り付けられる薄板状のサーマルヘッド取付部３４が、本体２の長手方向に沿うように直角外側方向に立設されている。また、サーマルヘッド３３に対向するカセット収納部２７の側面部は切り欠かれると共に、この切欠部に対向する仕切り部材３０の裏面部にプラテンホルダ３５が下端部を中心に回動可能に設けられている。また、背面カバー３を取り外した状態では、プラテンホルダ３５は図示しない弾性部材等で外側方向に付勢され、この仕切り部材３０に穿設される略四角形の係合孔３６の外側端縁部から裏側方向に立設される位置固定部３７に当接する位置で固定されている。
【００４３】
そして、背面カバー３の内側面には、不図示の突起部が立設されており、この背面カバー３を本体２の背面部に取り付けた場合には、この突起部が係合孔３６に挿入され、プラテンホルダ３５と位置固定部３７との間に介在する状態になる。これにより、プラテンローラ２３によりテープカセット２６の感熱テープ９の一部がサーマルヘッド３３に押し付けられる位置まで、プラテンホルダ３５はサーマルヘッド３３側に回動させられて固定される。また、プラテンローラ２３の裏側方向の一端部には不図示のギヤ部が形成され、プラテンホルダ３５が動作位置に固定された場合には、テープ送りモータ２５によって回転駆動される不図示のギヤ列にプラテンローラ２３のギヤ部が歯合してプラテンローラ２３が回転駆動され、サーマルヘッド３３を介して印字された感熱テープ９が搬送される。
尚、テープカセット２６に収納される感熱テープ９は、サーマルヘッド３３の発熱作用により発色するように構成されている。また、感熱テープ９は、裏面に予め粘着剤が塗布され、この粘着剤層に離型テープを仮接着したものであってもよい。
【００４４】
また、外側方向に回動するように不図示のバネで付勢されるカットレバー７の不図示の回動支持部には、カッター１０がスライド可能に支持され、このカットレバー７を水平内側方向へ押下することにより、カッター１０はテープカセット２６に向かって移動し、感熱テープ９を切断するように構成されている。
【００４５】
次に、図５に示すように、テープ印字装置１の制御構成は、制御基板２１上に形成される制御回路部５０を核として構成されている。制御回路部５０には、各機器を制御するＣＰＵ５１と、このＣＰＵ５１にデータバス５２を介して接続された入出力インタフェース５３、ＣＧＲＯＭ５４、ＲＯＭ５５、５６、ＲＡＭ５７とから構成されている。なお、ＣＰＵ５１の内部にはタイマ５１Ａが設けられている。
【００４６】
ここに、ＣＧＲＯＭ５４には、多数のキャラクタの各々に関して、表示のためのドットパターンデータがコードデータに対応させて格納されている。
また、ＲＯＭ（ドットパターンデータメモリ）５５には、アルファベット文字や記号等のキャラクタを印字するための多数のキャラクタの各々に関して、印字用ドットパターンデータが、書体（ゴシック系書体、アリエール書体等）毎に分類され、各書体毎に５種類（１６、２４、３２、４８、６４のドットサイズ）の印字文字サイズ分、コードデータに対応させて格納されている。また、文字の修飾（太字、白抜き、斜体、影付き）を含む修飾文字を印字するためのグラフィックパターンデータも記憶されている。
【００４７】
また、ＲＯＭ５６には、文字種切替キー１３２が起動後最初に押下された場合に、文字種類を切り替える初期切り替え順番（第１実施形態では、「アルファベット小文字」→「アルファベット大文字」→「数字」の順番になっている。）を記憶する初期切替順記憶領域５６Ａが設けられている。
また、ＲＯＭ５６には、アクセント入力キー１２１が押下された場合に、アクセント記号の種類を切り替える切り替え順番（第１実施形態では、アクセント記号は、ウムラウト記号７１、アクサンテギュ記号７２、アクサングラーブ記号７３、アクサンシルコンフレックス記号７４、チルダー記号７５の５種類から構成され、切り替える切り替え順番は、ウムラウト記号７１→アクサンテギュ記号７２→アクサングラーブ記号７３→アクサンシルコンフレックス記号７４→チルダー記号７５の順番になっている（図７、図１１参照）。）を記憶するアクセント切替順記憶領域５６Ｂが設けられている。
【００４８】
また、ＲＯＭ５６には、文字種切替キー１３２によって文字種類が指定された後、各キー１２１〜１３０を連続して押下することにより繰り返し順次入力可能となる文字を記憶するキー文字選択テーブル６５（図６参照）が格納されるキー文字記憶領域５６Ｃが設けられている。
また、ＲＯＭ５６には、同一アクセント記号が付される各アクセント文字の選択順序を記憶するアクセント文字選択テーブル６６が格納されるアクセント文字記憶領域５６Ｄが設けられている。
また、ＲＯＭ５６には、各文字入力キー１２２〜１３０等から入力された文字や数字等のキャラクタのコードデータに対応させて液晶表示装置（ＬＣＤ）６を制御する表示駆動制御プログラム、印字バッファ５７Ｂのデータを読み出してサーマルヘッド３３やテープ送りモータ２５を駆動する印字駆動制御プログラム、各印字ドットの形成エネルギ量に対応するパルス数を決定するパルス数決定プログラム、及び後述のアクセント表示処理およびアクセント文字入力／表示処理の制御プログラム（図１０、図１２参照）、印字終了した場合に該感熱テープ９を切断位置までテープ送りモータ２５を駆動して搬送する駆動制御プログラム、その他テープ印字装置１の制御上必要な各種のプログラムが格納されている。そして、ＣＰＵ５１は、かかるＲＯＭ５６に記憶されている各種プログラムやデータに基づいて各種の演算を行うものである。
【００４９】
さらに、ＲＡＭ５７には、テキストメモリ５７Ａ、印字バッファ５７Ｂ、カウンタ５７Ｃ、入力モード記憶領域５７Ｄ、入力アクセント記号記憶領域５７Ｅ等が設けられており、テキストメモリ５７Ａには、アクセント入力キー１２１、各文字入力キー１２２〜１３０及び記号入力キー１３１から入力された文書データが格納される。また、印字バッファ５７Ｂには、複数の文字や記号等の印字用ドットパターンや各ドットの形成エネルギ量である印加パルス数等がドットパターンデータとして格納され、サーマルヘッド３３はかかる印字バッファ５７Ｂに記憶されているドットパターンデータに従ってドット印字を行う。また、カウンタ５７Ｃには、アクセント入力キー１２１が押下された回数や、同一の各文字入力キー１２２〜１３０の押下された回数のカウント値が格納される。また、入力モード記憶領域５７Ｄには、現在入力している文字の指定された文字種類が記憶される。また、入力アクセント記号記憶領域５７Ｅには、現在入力しているアクセント文字に付されるアクセント記号の種類が記憶される。尚、ＲＡＭ５７は、起動時には初期化される。
【００５０】
また、入出力インタフェース５３には、基板２０と、液晶表示装置（ＬＣＤ）６に表示データを出力するためのビデオＲＡＭ５８Ａを有するディスプレイコントローラ（以下、ＬＣＤＣという）５８と、サーマルヘッド３３を駆動するための駆動回路５９と、テープ送りモータ２５を駆動するための駆動回路６０と、が各々接続されている。
よって、基板２０のアクセント入力キー１２１、各文字入力キー１２２〜１３０、記号入力キー１３１を介して文字等が入力された場合、そのテキスト（文書データ）がテキストメモリ５７Ａに順次記憶されていくとともに、ドットパターン発生制御プログラム及び表示駆動制御プログラムに基づいて基板２０を介して入力された文字等に対応するドットパターンがＬＣＤ６上に表示される。また、サーマルヘッド３３は駆動回路５９を介して駆動され、印字バッファ５７Ｂに記憶されたドットパターンデータの印字を行い、これと同期してテープ送りモータ２５が駆動回路６０を介してテープの送り制御を行うものである。
【００５１】
次に、キー文字記憶領域５６Ｃに格納されるキー文字選択テーブル６５について図６に基づいて説明する。
図６に示すように、キー文字選択テーブル６５は、各キー１２１〜１３０を表す「キー」と、アルファベット小文字の入力モード時に各キー１２１〜１３０を連続押下することによって繰り返し順次入力可能となる文字及びこの文字の選択順番を表す「通常」と、アルファベット大文字の入力モード時に各キー１２１〜１３０を連続押下することによって繰り返し順次入力可能となる文字及びこの文字の選択順番を表す「ＣＡＰＳロック」と、数字の入力モード時に各キー１２１〜１３０を押下することによって入力可能となる数字を表す「ＮＵＭロック」とから構成されている。
【００５２】
例えば、表面に「ｄ、ｅ、ｆ、３」が印刷される文字入力キー１２３の「キー」に対応する「通常」には、「ｄ→ｅ→ｆ→ウムラウトｅ→アクサンテギュｅ→アクサングラーブｅ→アクサンシルコンフレックスｅ→」の文字及びこの順番で選択される各文字の選択順番が予め登録されている。また、表面に「ｄ、ｅ、ｆ、３」が印刷される文字入力キー１２３の「キー」に対応する「ＣＡＰＳロック」には、「Ｄ→Ｅ→Ｆ→ウムラウトＥ→アクサンテギュＥ→アクサングラーブＥ→アクサンシルコンフレックスＥ→」の各文字及びこの順番で選択される各文字の選択順番が予め登録されている。また、表面に「ｄ、ｅ、ｆ、３」が印刷される文字入力キー１２３の「キー」に対応する「ＮＵＭロック」には、「３」が予め登録されている。
【００５３】
次に、アクセント文字記憶領域５６Ｄに格納されるアクセント文字選択テーブル６６について図７に基づいて説明する。
図７に示すように、アクセント文字選択テーブル６６は、アクセント入力キー１２１の押下により選択されたアクセント記号の種類を表す「アクセント記号」と、アルファベット小文字の入力モード時にアクセント入力キー１２１を押下して選択した各アクセント記号の種類に対応して選択可能となるアクセント文字の種類とこの各アクセント文字の選択順番を表す「通常」と、アルファベット大文字の入力モード時にアクセント入力キー１２１を押下して選択した各アクセント記号の種類に対応して選択可能となるアクセント文字の種類とこの各アクセント文字の選択順番を表す「ＣＡＰＳロック」とから構成されている。
また、「アクセント記号」には、ウムラウト記号７１、アクサンテギュ記号７２、アクサングラーブ記号７３、アクサンシルコンフレックス記号７４、チルダー記号７５が予め登録されている。
そして、例えば、ウムラウト記号７１の「アクセント記号」に対応する「通常」には、「ウムラウトａ→ウムラウトｅ→ウムラウトｉ→ウムラウトｏ→ウムラウトｕ→ウムラウトｙ→」の各アクセント文字及びこの順番で選択される各アクセント文字の選択順番が予め登録されている。また、ウムラウト記号７１の「アクセント記号」に対応する「ＣＡＰＳロック」には、「ウムラウトＡ→ウムラウトＥ→ウムラウトＩ→ウムラウトＯ→ウムラウトＵ→」の各アクセント文字及びこの順番で選択される各アクセント文字の選択順番が予め登録されている。
【００５４】
次に、このように構成されたテープ印字装置１のアルファベット小文字やアクセント文字などの文字入力の制御処理について図８乃至図１４に基づいて説明する。
図８に示すように、ステップ（以下、Ｓと略記する）１において、テープ印字装置１のＣＰＵ５１は、初期化処理を行う。即ち、テキストメモリ５７Ａ、印字バッファ５７Ｂ、カウンタ５７Ｃ、入力モード記憶領域５７Ｄ、直前入力モード記憶領域５７Ｅなどの初期化を行う。
そして、Ｓ２において、ＣＰＵ５１は、装置本体表面部に配置された各キー１２１〜１３２、１３〜１８のいずれかが押下されるまで待機する（Ｓ２：ＮＯ）。
続いて、いずれかのキーが押下された場合には（Ｓ２：ＹＥＳ）、Ｓ３において、ＣＰＵ５１は、アルファベット小文字又はアルファベット大文字の文字入力中で、且つ各文字入力キー１２２〜１３０の押下か否かを判定する判定処理を実行する。尚、テープ印字装置１の起動時には、キー入力によって入力できる文字種類は「アルファベット小文字」に設定されている。
【００５５】
そして、アルファベット小文字又はアルファベット大文字の文字入力中で、且つ各文字入力キー１２２〜１３０が押下された場合には（Ｓ３：ＹＥＳ）、Ｓ４において、ＣＰＵ５１は、アクセント入力キー１２１が押下されて、アクセント文字の入力モードになっているか否かを判定する判定処理を実行する。そしてまた、アクセント文字の入力モードになっている場合には（Ｓ４：ＹＥＳ）、Ｓ５において、ＣＰＵ５１は、後述のアクセント文字入力／表示制御処理のサブ処理（図１２参照）を実行後、再度Ｓ２以降の処理を実行する。
一方、アクセント文字の入力モードになっていない場合には（Ｓ４：ＮＯ）、Ｓ６において、ＣＰＵ５１は、各文字入力キー１２２〜１３０が押下のされる毎に、キー文字選択テーブル６５から該押下された各文字入力キー１２２〜１３０に対応する「通常」又は「ＣＡＰＳロック」に登録されている文字を順次読み出し、液晶表示装置６に点滅表示（又は白黒反転表示など）を行い、再度Ｓ２以降の処理を実行する。
【００５６】
ここで、文字入力／表示処理（Ｓ６）の処理において実行される液晶表示装置６の表示画面の一例を図９に基づいて説明する。
図９に示すように、入力文字の種類は、アルファベット大文字に設定されているため、液晶表示装置６の表示画面の左端部に示される文字種マークＭ１は黒丸の表示であり、文字種マークＭ２は白丸の表示である。そして、表面に「ｄ、ｅ、ｆ、３」が印刷される文字入力キー１２３を連続して押下した場合には、キー文字選択テーブル６５の文字入力キー１２３に対応する「ＣＡＰＳロック」から順次文字が選択されて、表示画面には、「Ｄ」→「Ｅ」→「Ｆ」→「ウムラウトＥ」→「アクサンテギュＥ」→「アクサングラーブＥ」→「アクサンシルコンフレックスＥ」と順次点滅表示され、更に、この文字入力キー１２３を連続して押下すると再度、「Ｄ」→・・・と順次点滅表示される。
【００５７】
他方、アルファベット小文字又はアルファベット大文字の文字入力中であるが、各文字入力キー１２２〜１３０が押下されていない場合には（Ｓ３：ＮＯ）、Ｓ７において、ＣＰＵ５１は、アクセント入力キー１２１が押下されたか否かを判定する判定処理を実行する。
そして、アクセント入力キー１２１が押下された場合には（Ｓ７：ＹＥＳ）、Ｓ８において、ＣＰＵ５１は、後述のアクセント記号表示処理のサブ処理を実行後、再度Ｓ２以降の処理を実行する。
【００５８】
また、アクセント入力キー１２１が押下されていない場合には（Ｓ７：ＮＯ）、Ｓ９において、ＣＰＵ５１は、他の文字入力キー又はリターンキー１８が押下されたか否かを判定する判定処理を実行する。そして、他の文字入力キー又はリターンキー１８が押下された場合には（Ｓ９：ＹＥＳ）、Ｓ１０において、ＣＰＵ５１は、液晶表示装置６の表示画面に点滅表示（又は、白黒反転表示など）されている文字を通常表示にして、確定表示すると共に、この文字をテキストメモリ５７Ａに印字文字データとして記憶する。その後、再度Ｓ２以降の処理を実行する。
【００５９】
一方、他の文字入力キー又はリターンキー１８が押下されていない場合には（Ｓ９：ＮＯ）、Ｓ１１において、ＣＰＵ５１は、押下されたキーに対応する各種処理を実行後、再度、Ｓ２以降の処理を実行する。
【００６０】
次に、Ｓ８において実行するアクセント記号表示処理のサブ処理について図１０に基づいて説明する。
図１０に示すように、Ｓ２１において、ＣＰＵ５１は、液晶表示装置６の表示画面にアクセント記号が点滅表示（又は白黒反転表示など）されているかどうか判定する判定処理を実行する。そして、アクセント記号が点滅表示されていない場合には（Ｓ２１：ＮＯ）、Ｓ２２において、ＣＰＵ５１は、アクセント切替順記憶領域５６Ｂからアクセント記号の種類を切り替える切り替え順番で第１順位のウムラウト記号７１を読み出し、該ウムラウト記号７１を表示画面に点滅表示し、メインフローチャートに戻る。
一方、アクセント記号が点滅表示されている場合には（Ｓ２１：ＹＥＳ）、Ｓ２３において、ＣＰＵ５１は、アクセント切替順記憶領域５６Ｂからアクセント記号の種類を切り替える切り替え順番を読み出し、この点滅表示されているアクセント記号の次に切り替える順番が付されたアクセント記号があるか否かを判定する判定処理を実行する。そして、次に切り替える順番が付されたアクセント記号がある場合には（Ｓ２３：ＹＥＳ）、Ｓ２４において、この次に切り替える順番が付されたアクセント記号を読み出し、該アクセント記号を表示画面に点滅表示し、メインフローチャートに戻る。
他方、次に切り替える順番が付されたアクセント記号がない場合には（Ｓ２３：ＮＯ）、Ｓ２５において、ＣＰＵ５１は、再度、アクセント記号の種類を切り替える切り替え順番で第１順位のウムラウト記号７１を読み出し、該ウムラウト記号７１を表示画面に点滅表示し、メインフローチャートに戻る。
【００６１】
ここで、アクセント記号表示処理（Ｓ８）のサブ処理において実行される液晶表示装置６の表示画面の一例を図１１に基づいて説明する。
図１１（Ａ）に示すように、入力文字の種類は、アルファベット小文字に設定されているため、液晶表示装置６の表示画面の左端部に示される各文字種マークＭ１、Ｍ２は白丸の表示である。そして、表示画面にアクセント記号が点滅表示されていない場合に、アクセント入力キー１２１の１回目の押下がされると、ＣＰＵ５１は、先ず、アクセント切替順記憶領域５６Ｂからアクセント記号の種類を切り替える切り替え順番で第１順位のウムラウト記号７１を読み出し、該ウムラウト記号７１を表示画面に点滅表示する。
また、図１１（Ｂ）〜（Ｅ）に示すように、アクセント入力キー１２１の２回以上連続して押下された場合には、該アクセント入力キー１２１が押下される毎に、ＣＰＵ５１は、アクセント切替順記憶領域５６Ｂからアクセント記号の種類を切り替える切り替え順番で次の順位のアクセント記号を読み出し、順次、アクサンテギュ記号７２→アクサングラーブ記号７３→アクサンシルコンフレックス記号７４→チルダー記号７５と順次、表示画面に点滅表示する。
そしてまた、アクセント入力キー１２１の６回目の押下がされると、ＣＰＵ５１は、再度ウムラウト記号７１を表示画面に点滅表示し、該アクセント入力キー１２１が押下される毎に各アクセント記号７２〜７５を繰り返し順次点滅表示する。
【００６２】
次に、Ｓ５において、実行するアクセント文字入力／表示処理のサブ処理について図１２に基づいて説明する。
図１２に示すように、Ｓ３１において、ＣＰＵ５１は、液晶表示装置６の表示画面にアクセント文字が点滅表示（又は白黒反転表示など）されているかどうか判定する判定処理を実行する。
そして、アクセント文字が点滅表示されておらず、アクセント記号が点滅表示されている場合には（Ｓ３１：ＮＯ）、Ｓ３２において、ＣＰＵ５１は、キー文字選択テーブル６５から該押下された各文字入力キー１２２〜１２９に対応する「通常」又は「ＣＡＰＳロック」に登録されている文字を順次読み出し、この点滅表示されているアクセント記号が付されたアクセント文字が登録されているか否かを判定する判定処理を実行する。続いて、この点滅表示されているアクセント記号が付されたアクセント文字が登録されている場合には（Ｓ３２：ＹＥＳ）、Ｓ３３において、ＣＰＵ５１は、該押下された各文字入力キー１２２〜１２９に対応する「通常」又は「ＣＡＰＳロック」に登録されているアクセント文字のうち第１順位のアクセント文字を選択して、液晶表示装置６に点滅表示（又は白黒反転表示など）を行い、メインフローチャートに戻る。
【００６３】
一方、この点滅表示されているアクセント記号が付されたアクセント文字が、該押下された各文字入力キー１２２〜１２９に対応する「通常」又は「ＣＡＰＳロック」に登録されていない場合には（Ｓ３２：ＮＯ）、Ｓ３４において、ＣＰＵ５１は、液晶表示装置６の表示画面にこのアクセント記号を点滅表示し、メインフローチャートに戻る。
【００６４】
他方、アクセント文字が点滅表示されている場合には（Ｓ３１：ＹＥＳ）、Ｓ３５において、ＣＰＵ５１は、他のキーが押下されたか否かを判定する判定処理を実行する。
そして、同一の文字入力キーが、再度押下された場合には（Ｓ３５：ＮＯ）、Ｓ３６において、ＣＰＵ５１は、キー文字選択テーブル６５から該押下された同一の文字入力キーに対応する「通常」又は「ＣＡＰＳロック」に登録されている文字を順次読み出し、この点滅表示されているアクセント文字と同じアクセント記号が付されたアクセント文字が登録されているか否かを判定する判定処理を実行する。続いて、この押下された同一の文字入力キーにこの点滅表示されているアクセント文字と同じアクセント記号が付されたアクセント文字が登録されている場合には（Ｓ３６：ＹＥＳ）、Ｓ３７において、ＣＰＵ５１は、この点滅表示されているアクセント文字と同じアクセント記号が付されたアクセント文字を選択して、このアクセント文字を液晶表示装置６の表示画面に点滅表示し、メインフローチャートに戻る。
一方、この押下された同一の文字入力キーにこの点滅表示されているアクセント文字と同じアクセント記号が付されたアクセント文字が登録されていない場合には（Ｓ３６：ＮＯ）、Ｓ４０において、ＣＰＵ５１は、該押下された各文字入力キー１２２〜１２９に対応する「通常」又は「ＣＡＰＳロック」に登録されているアクセント文字のうち第１順位のアクセント文字を選択して、液晶表示装置６の表示画面にこのアクセント文字を点滅表示して、メインフローチャートに戻る。
【００６５】
また、アクセント文字が点滅表示されている場合に他のキーが押下された場合には（Ｓ３５：ＹＥＳ）、Ｓ３８において、ＣＰＵ５１は、液晶表示装置６の表示画面に点滅表示されている該アクセント文字を通常表示にして、確定表示すると共に、この文字をテキストメモリ５７Ａに印字文字データとして記憶する。その後、Ｓ３９において、ＣＰＵ５１は、表示画面にカーソルＫ１を表示して、メインフローチャートに戻る。
【００６６】
ここで、アクセント文字入力／表示処理（Ｓ５）のサブ処理において実行される液晶表示装置６の表示画面の一例を図１３及び図１４に基づいて説明する。
先ず、図１３（Ａ）に示すように、入力文字の種類は、アルファベット大文字に設定されているため、液晶表示装置６の表示画面の左端部に示される文字種マークＭ１は黒丸の表示であり、文字種マークＭ２は白丸の表示である。そして、アクセント入力キー１２１を押下してウムラウト記号７１を選択した場合には、表示画面に該ウムラウト記号７１が点滅表示される。
そして、図１３（Ｂ）に示すように、表面に「ａ、ｂ、ｃ、２」が印刷される文字入力キー１２２が押下された場合には、ＣＰＵ５１は、キー文字選択テーブル６５の文字入力キー１２２に対応する「ＣＡＰＳロック」からウムラウト記号７１が付されたアクセント文字のうち第１順位の「ウムラウトＡ」を選択して、表示画面に点滅表示する。尚、再度、この文字入力キー１２２が２回以上押下された場合には、ＣＰＵ５１は、文字入力キー１２２が押下される毎に、キー文字選択テーブル６５の文字入力キー１２２に対応する「ＣＡＰＳロック」からウムラウト記号７１が付されたアクセント文字が他にあるかどうか判定し、他にウムラウト記号７１が付されたアクセント文字が登録されていないため、「ウムラウトＡ」を表示画面に点滅表示する。
続いて、図１３（Ｃ）に示すように、文字入力キー１２２以外のキーが押下された場合には、ＣＰＵ５１は、この「ウムラウトＡ」を表示画面に確定表示すると共に、カーソルＫ１を表示して通常表示画面の状態に戻る。
【００６７】
また、他の表示例として図１４（Ａ）に示すように、入力文字の種類は、アルファベット大文字に設定されているため、液晶表示装置６の表示画面の左端部に示される文字種マークＭ１は黒丸の表示であり、文字種マークＭ２は白丸の表示である。そして、アクセント入力キー１２１を押下してチルダー記号７５を選択した場合には、表示画面に該チルダー記号７５が点滅表示される。
そして、図１４（Ｂ）に示すように、表面に「ｍ、ｎ、ｏ、６」が印刷される文字入力キー１２６が押下された場合には、ＣＰＵ５１は、キー文字選択テーブル６５の文字入力キー１２６に対応する「ＣＡＰＳロック」からチルダー記号７５が付されたアクセント文字のうち第１順位の「チルダーＮ」を選択して、表示画面に点滅表示する。
続いて、図１４（Ｃ）に示すように、再度、文字入力キー１２６が押下された場合には、ＣＰＵ５１は、キー文字選択テーブル６５の文字入力キー１２６に対応する「ＣＡＰＳロック」からチルダー記号７５が付されたアクセント文字のうち第２順位の「チルダーＯ」を選択して、表示画面に点滅表示する。
そして、図１４（Ｄ）に示すように、文字入力キー１２６以外のキーが押下された場合には、ＣＰＵ５１は、この「チルダーＯ」を表示画面に確定表示すると共に、カーソルＫ１を表示して通常表示画面の状態に戻る。
尚、「チルダーＯ」が表示画面に点滅表示されている場合に、再度文字入力キー１２６が押下された場合には、図１４（Ｂ）以降の表示画面が繰り返し表示される。
【００６８】
ここで、アクセント入力キー１２１は、アクセント切替キーとして機能する。また、ＣＰＵ５１及びＲＯＭ５６は、第１判定手段、第２判定手段、第３判定手段、第４判定手段、アクセント文字確定手段、入力文字選択手段を構成する。また、アクセント入力キー１２１、ＣＰＵ５１、ＲＯＭ５６は、入力文字切替手段、第１アクセント文字選択手段、第２アクセント文字選択手段を構成する。また、アクセント切替順記憶領域５６Ｂは、第１記憶手段として機能する。また、キー文字切替順記憶領域５６Ｃは、第２記憶手段、第４記憶手段として機能する。また、アクセント文字記憶領域５６Ｄは、第３記憶手段として機能する。また、液晶表示装置６、ＬＣＤＣ５８、ビデオＲＡＭ５８Ａは、表示手段を構成する。また、テープ送りモータ２５、サーマルヘッド３３、各駆動回路５９、６０、プラテンホルダ３５及びプラテンローラ２３は、印字手段を構成する。
【００６９】
上記説明した通り、第１実施形態に係るテープ印字装置１では、アクセント入力キー１２１を押下することによって各文字入力キー１２２〜１２９に割り付けられた各アクセント文字が入力可能な文字となるように切り替えられるため、該各文字入力キー１２２〜１２９を所定回数押下することなく、直接所望のアクセント文字を入力することができ、アクセント文字の入力を迅速かつ簡易に行うことが可能となる。また、アクセント文字に付されるアクセント記号に対して、ウムラウト記号７１→アクサンテギュ記号７２→アクサングラーブ記号７３→アクサンシルコンフレックス記号７４→チルダー記号７５の順番を予め付することによって、アクセント切替キーを１回押下すると主として使用するウムラウト記号７１が付されたアクセント文字が選択可能となるため、アクセント入力キー１２１の押下回数を確実に削減することができ、アクセント文字の入力を迅速かつ簡易に行うことが可能となる。従って、アクセント入力キー１２１によって切り替え可能なアクセント記号の種類を予め多く登録しておいても、アクセント入力キー１２１の押下回数を確実に削減でき、引いてはテープ印字装置１の操作性の向上を図ることができる。
【００７０】
また、各文字入力キー１２２〜１２９に割り付けられた複数個の文字には、アクセント記号が付されたアクセント文字が含まれるため、該アクセント文字が割り付けられた各文字入力キー１２２〜１２９をそれぞれ所定回数押下することによってアクセント文字を選択して入力することができる。
また、アクセント入力キー１２１を押下することによって各文字入力キー１２２〜１２９に割り付けられたアクセント文字を直接入力可能な文字となるように切り替えることができるため、該各文字入力キー１２２〜１２９を所定回数押下することなく、直接アクセント文字を入力することができ、アクセント文字の入力を迅速かつ簡易に行うことが可能となる。
また、ウムラウト記号７１以外のアクセント記号を選択するためには、アクセント入力キー１２１を複数回押下して、ウムラウト記号７１→アクサンテギュ記号７２→アクサングラーブ記号７３→アクサンシルコンフレックス記号７４→チルダー記号７５の順番に従って各アクセント記号の種類を繰り返し順次指定すればよく、アクセント記号の種類を切り替える制御プログラム容量の増加を防止し、且つ、テープ印字装置１の操作性の向上を図ることができる。
【００７１】
また、アクセント入力キー１２１の押下によってアクセント文字が入力可能となった場合に、押下された文字入力キーに入力可能となったアクセント記号の種類の付されたアクセント文字が割り付けられている場合には、該アクセント文字が入力可能となるため、他の種類のアクセント記号が付されたアクセント文字の入力を防止することができ、テープ印字装置１の更なる操作性の向上を図ることができる。また、アクセント文字が割り付けられていない文字入力キーを誤って押下してもアクセント文字以外の文字入力を確実に防止することができる。
また、文字入力キー１２６に割り付けられた同一アクセント記号の複数のアクセント文字は、キー文字選択テーブル６５に記憶される順番が予め付されており、この文字入力キー１２６が１回押下された場合には、この文字入力キー１２６を１回押下すると主として使用するアクセント文字「ウムラウトＮ」が選択可能となるため、文字入力キーの押下回数を確実に削減することができ、アクセント文字の入力を迅速かつ簡易に行うことが可能となる。また、ウムラウト記号７１のアクセント文字が複数割り付けられている文字入力キー１２６が複数回押下された場合には、キー文字選択テーブル６５に記憶される順番に従って各アクセント文字を繰返し順次入力可能な文字とすればよく、入力可能なアクセント文字を切り替える制御プログラム容量の増加を防止し、且つ、文字入力装置の操作性の向上を図ることができる。
【００７２】
また、アクセント文字が入力可能となった場合に、最初に押下した文字入力キーと異なる文字入力キーを押下することによって、最後に入力可能な文字とされたアクセント文字が入力文字として確定されるため、所望のアクセント文字を入力文字として確定するために決められたリターンキー１８を押下すること無く、容易に確定することができ、テープ印字装置１の操作性の更なる向上を図ることができる。
また、アクセント入力キー１２１を押下することなく、同一の各文字入力キー１２２〜１２９を複数回連続して押下した場合には、該文字入力キーが押下される毎に、この文字入力キーに割り付けられた複数個の文字は、キー文字選択テーブル６５に記憶される順番に従って１個ずつ繰返し順次入力可能となるため、該アクセント入力キー１２１を押下することなくアクセント文字を入力することができる。
更に、アクセント入力キー１２１が押下された場合には、入力可能となるアクセント文字に付されるアクセント記号が液晶表示装置６の表示画面に表示されるため、ユーザーは表示されたアクセント記号を見ながらアクセント入力キー１２１の押下によって入力可能となるアクセント文字の種類を確認することができ、テープ印字装置１の操作性の向上を図ることができる。
【００７３】
次に、第２実施形態に係るテープ印字装置について図１５乃至図１７に基づいて説明する。尚、上記第１実施形態に係るテープ印字装置１と同一符号は、上記第１実施形態に係るテープ印字装置１と同一あるいは相当部分を示すものである。
この第２実施形態に係るテープ印字装置の全体構成及び制御系の構成は、第１実施形態に係るテープ印字装置１とほぼ同じ構成である。また、第２実施形態に係るテープ印字装置の制御処理は、第１実施形態に係るテープ印字装置１の制御処理とほぼ同じ制御処理である。
ただし、アクセント文字入力／表示処理のサブ処理が後述のように上記第１実施形態と異なっている。
【００７４】
先ず、第２実施形態に係るテープ印字装置のアクセント文字入力／表示処理のサブ処理について図１５に基づいて説明する。
図１５に示すように、Ｓ４１〜（Ｓ４５：ＮＯ）〜（Ｓ４６：ＹＥＳ）〜Ｓ４７において、ＣＰＵ５１は、上記第１実施形態のＳ３１〜（Ｓ３５：ＮＯ）〜（Ｓ３６：ＹＥＳ）〜Ｓ３７の制御処理と同じ制御処理を実行する。
続いて、Ｓ４６：ＮＯ（Ｓ３６：ＮＯ）の場合、即ち、この押下された同一の文字入力キーに点滅表示されているアクセント文字と同じアクセント記号が付されたアクセント文字が登録されていない場合には（Ｓ４６：ＮＯ）、Ｓ４８において、ＣＰＵ５１は、この押下された同一の文字入力キー以外のいずれかの文字入力キーに、この点滅表示されているアクセント文字と同じアクセント記号が付されたアクセント文字が登録されているか否かを判定する判定処理を実行する。即ち、ＣＰＵ５１は、アクセント文字記憶領域５６Ｄに格納されるアクセント文字選択テーブル６６から、この点滅表示されているアクセント文字に付された「アクセント記号」に対応する「通常」又は「ＣＡＰＳロック」に該点滅表示されているアクセント文字の次の順番のアクセント文字が登録されているか否かを判定する判定処理を実行する。
【００７５】
そして、アクセント文字記憶領域５６に格納されるアクセント文字選択テーブル６６から、この点滅表示されているアクセント文字に付された「アクセント記号」に対応する「通常」又は「ＣＡＰＳロック」に該点滅表示されているアクセント文字の次の順番のアクセント文字が登録されている場合には（Ｓ４８：ＹＥＳ）、再度、Ｓ４７において、ＣＰＵ５１は、この次の順番のアクセント文字を選択して、液晶表示装置６の表示画面にこのアクセント文字を点滅表示し、メインフローチャートに戻る。
一方、アクセント文字記憶領域５６に格納されるアクセント文字選択テーブル６６から、この点滅表示されているアクセント文字に付された「アクセント記号」に対応する「通常」又は「ＣＡＰＳロック」に、この点滅表示されているアクセント文字の次の順番のアクセント文字が登録されていない場合には（Ｓ４８：ＮＯ）、Ｓ４９において、ＣＰＵ５１は、該アクセント文字選択テーブル６６から、この点滅表示されているアクセント文字に付された「アクセント記号」に対応する「通常」又は「ＣＡＰＳロック」に登録されている選択順番が第１順位のアクセント文字を選択して、液晶表示装置６の表示画面にこのアクセント文字を点滅表示し、メインフローチャートに戻る。例えば、点滅表示されているアクセント文字がウムラウト記号７１が付された「ウムラウトｙ」の場合には、ウムラウト記号７１が付された「ウムラウトａ」が選択されて、表示画面に点滅表示される。
【００７６】
また、Ｓ４５：ＹＥＳ（Ｓ３５：ＹＥＳ）の場合には、Ｓ５０〜Ｓ５１において、ＣＰＵ５１は、上記第１実施形態のＳ３８〜Ｓ３９の制御処理と同じ制御処理を実行する。
【００７７】
ここで、アクセント文字入力／表示処理のサブ処理において実行される液晶表示装置６の表示画面の一例を図１６及び図１７に基づいて説明する。
先ず、図１６（Ａ）に示すように、入力文字の種類は、アルファベット大文字に設定されているため、液晶表示装置６の表示画面の左端部に示される文字種マークＭ１は黒丸の表示であり、文字種マークＭ２は白丸の表示である。そして、アクセント入力キー１２１を押下してウムラウト記号７１を選択した場合には、表示画面に該ウムラウト記号７１が点滅表示される。
そして、図１６（Ｂ）に示すように、表面に「ｍ、ｎ、ｏ、６」が印刷される文字入力キー１２６が押下された場合には、ＣＰＵ５１は、キー文字選択テーブル６５の文字入力キー１２６に対応する「ＣＡＰＳロック」からウムラウト記号７１が付されたアクセント文字のうち第１順位の「ウムラウトＯ」を選択して、表示画面に点滅表示する。
【００７８】
そしてまた、図１６（Ｃ）に示すように、再度同一の文字入力キー１２６が押下された場合には、ＣＰＵ５１は、キー文字選択テーブル６５の「ＣＡＰＳロック」にウムラウト記号７１の付された他のアクセント文字が登録されていないため、アクセント文字選択テーブル６６の「アクセント記号」の「ウムラウト記号７１」に対応する「ＣＡＰＳロック」からこの点滅表示されている「ウムラウトＯ」の次の順番の「ウムラウトＵ」を選択して、表示画面に点滅表示する。
続いて、図１６（Ｄ）〜（Ｇ）に示すように、再度同一の文字入力キー１２６が連続して押下された場合には、ＣＰＵ５１は、該文字入力キー１２６が押下される毎に、アクセント文字選択テーブル６６の「アクセント記号」の「ウムラウト記号７１」に対応する「ＣＡＰＳロック」から表示画面に点滅表示されているアクセント文字の次の順番のアクセント文字を選択して、「ウムラウトＡ」→「ウムラウトＥ」→「ウムラウトＩ」→「ウムラウトＯ」と表示画面に順次点滅表示する。
また、図１６（Ｈ）に示すように、文字入力キー１２６以外のキーが押下された場合には、ＣＰＵ５１は、点滅表示されている「ウムラウトＯ」を表示画面に確定表示すると共に、この文字をテキストメモリ５７Ａに印字文字データとして記憶後、カーソルＫ１を表示して通常表示画面の状態に戻る。
【００７９】
また、他の表示例として図１７（Ａ）に示すように、入力文字の種類は、アルファベット小文字に設定されているため、液晶表示装置６の表示画面の左端部に示される各文字種マークＭ１、Ｍ２は白丸の表示である。そして、アクセント入力キー１２１を押下してチルダー記号７５を選択した場合には、表示画面に該チルダー記号７５が点滅表示される。
そして、図１７（Ｂ）に示すように、表面に「ｍ、ｎ、ｏ、６」が印刷される文字入力キー１２６が押下された場合には、ＣＰＵ５１は、キー文字選択テーブル６５の文字入力キー１２６に対応する「通常」からチルダー記号７５が付されたアクセント文字のうち第１順位の「チルダーｎ」を選択して、表示画面に点滅表示する。
【００８０】
そしてまた、図１７（Ｃ）に示すように、再度同一の文字入力キー１２６が押下された場合には、ＣＰＵ５１は、キー文字選択テーブル６５の文字入力キー１２６に対応する「通常」からチルダー記号７５が付されたアクセント文字のうち第２順位の「チルダーｏ」を選択して、表示画面に点滅表示する。
続けて、図１７（Ｄ）に示すように、再度同一の文字入力キー１２６が押下された場合には、ＣＰＵ５１は、キー文字選択テーブル６５の「通常」にチルダー記号７５の付された他のアクセント文字が登録されていないため、アクセント文字選択テーブル６６の「アクセント記号」の「チルダー記号７５」に対応する「通常」からこの点滅表示されている「チルダーｏ」の次の順番の「チルダーａ」を選択して、表示画面に点滅表示する。
また、図１７（Ｅ）に示すように、文字入力キー１２６以外のキーが押下された場合には、ＣＰＵ５１は、点滅表示されている「チルダーａ」を表示画面に確定表示すると共に、この文字をテキストメモリ５７Ａに印字文字データとして記憶後、カーソルＫ１を表示して通常表示画面の状態に戻る。
【００８１】
上記の通り、第２実施形態に係るテープ印字装置では、アクセント入力キー１２１を押下してアクセント記号を選択した後、該アクセント記号が付されたアクセント文字が割り付けられている文字入力キーを複数回連続して押下した場合には、該同一の文字入力キーが押下される毎に、先ず、キー文字選択テーブル６５に記憶される該アクセント記号が付されたアクセント文字が所定の順番に従って順次入力可能な文字として選択されて点滅表示され、引き続いて、アクセント文字選択テーブル６６の該アクセント記号に対応する点滅表示されているアクセント文字の次の順番のアクセント文字が選択されて、順次点滅表示される。そして、他の文字入力キーを押下することにより点滅表示されているアクセント文字が確定表示され、この文字がテキストメモリ５７Ａに印字文字データとして記憶される。
従って、上記第１実施形態に係るテープ印字装置１の作用効果に加えて、入力可能となったアクセント記号の種類の付されたアクセント文字が割り付けられている最初に選択して押下した文字入力キーを連続して押下することによって、該文字入力キーに割り付けられていない所望のアクセント文字も選択することができ、文字入力装置の操作性の更なる向上を図ることができる。
【００８２】
次に、第３実施形態に係るテープ印字装置について図１８乃至図２０に基づいて説明する。尚、上記第１実施形態に係るテープ印字装置１と同一符号は、上記第１実施形態に係るテープ印字装置１と同一あるいは相当部分を示すものである。
この第３実施形態に係るテープ印字装置の全体構成及び制御系の構成は、第１実施形態に係るテープ印字装置１とほぼ同じ構成である。また、第３実施形態に係るテープ印字装置の制御処理は、第１実施形態に係るテープ印字装置１の制御処理とほぼ同じ制御処理である。
ただし、アクセント文字入力／表示処理のサブ処理が後述のように上記第１実施形態と異なっている。
【００８３】
先ず、第３実施形態に係るテープ印字装置のアクセント文字入力／表示処理のサブ処理について図１８に基づいて説明する。
図１８に示すように、Ｓ６１において、ＣＰＵ５１は、上記第１実施形態のＳ３１の制御処理と同じ制御処理を実行する。
続いて、アクセント文字が点滅表示されておらず、アクセント記号が点滅表示（又は、白黒反転表示など）されている場合には（Ｓ６１：ＮＯ）、Ｓ６２において、ＣＰＵ５１は、各文字入力キー１２２〜１３０のうちのいずれかの文字入力キーが押下されると、アクセント文字記憶領域５６Ｄに格納されるアクセント文字選択テーブル６６から、この点滅表示されている「アクセント記号」に対応する「通常」又は「ＣＡＰＳロック」の各アクセント文字のうちの第１順位のアクセント文字を選択して、表示画面に点滅表示し、メインフローチャートに戻る。
【００８４】
一方、アクセント文字が点滅表示されている場合には（Ｓ６１：ＹＥＳ）、Ｓ６３において、ＣＰＵ５１は、上記第１実施形態のＳ３５と同じ制御処理を実行する。
そして、同一の文字入力キーが、再度押下された場合には（Ｓ６３：ＮＯ）、Ｓ６４において、ＣＰＵ５１は、アクセント文字選択テーブル６６から、この点滅表示されているアクセント文字に付された「アクセント記号」に対応する「通常」又は「ＣＡＰＳロック」に該点滅表示されているアクセント文字の次の順番のアクセント文字が登録されているか否かを判定する判定処理を実行する。
続いて、アクセント文字選択テーブル６６から、この点滅表示されているアクセント文字に付された「アクセント記号」に対応する「通常」又は「ＣＡＰＳロック」に該点滅表示されているアクセント文字の次の順番のアクセント文字が登録されている場合には（Ｓ６４：ＹＥＳ）、Ｓ６５において、ＣＰＵ５１は、この次の順番のアクセント文字を選択して、液晶表示装置６の表示画面にこのアクセント文字を点滅表示し、メインフローチャートに戻る。
【００８５】
また、アクセント文字選択テーブル６６から、この点滅表示されているアクセント文字に付された「アクセント記号」に対応する「通常」又は「ＣＡＰＳロック」に、この点滅表示されているアクセント文字の次の順番のアクセント文字が登録されていない場合には（Ｓ６４：ＮＯ）、Ｓ６６において、ＣＰＵ５１は、該アクセント文字選択テーブル６６から、この点滅表示されているアクセント文字に付された「アクセント記号」に対応する「通常」又は「ＣＡＰＳロック」に登録されている選択順番が第１順位のアクセント文字を選択して、液晶表示装置６の表示画面にこのアクセント文字を点滅表示し、メインフローチャートに戻る。例えば、点滅表示されているアクセント文字がウムラウト記号７１が付された「ウムラウトｙ」の場合には、ウムラウト記号７１が付された「ウムラウトａ」が選択されて、表示画面に点滅表示される。
【００８６】
他方、他の文字入力キーが、押下された場合には（Ｓ６３：ＹＥＳ）、Ｓ６７〜Ｓ６８において、ＣＰＵ５１は、上記第１実施形態のＳ３８〜Ｓ３９の制御処理と同じ制御処理を実行する。
【００８７】
ここで、アクセント文字入力／表示処理のサブ処理において実行される液晶表示装置６の表示画面の一例を図１９及び図２０に基づいて説明する。
先ず、図１９（Ａ）に示すように、入力文字の種類は、アルファベット大文字に設定されているため、液晶表示装置６の表示画面の左端部に示される文字種マークＭ１は黒丸の表示であり、文字種マークＭ２は白丸の表示である。そして、アクセント入力キー１２１を押下してウムラウト記号７１を選択した場合には、表示画面に該ウムラウト記号７１が点滅表示される。
そして、図１９（Ｂ）に示すように、文字入力キー１２２〜１３０のうちいずれかの文字入力キーが押下された場合には、アクセント文字選択テーブル６６の「アクセント記号」の「ウムラウト記号７１」に対応する「ＣＡＰＳロック」から第１順位の「ウムラウトＡ」を選択して、表示画面に点滅表示する。
続いて、図１９（Ｃ）〜（Ｆ）に示すように、再度同一の文字入力キーが連続して押下された場合には、ＣＰＵ５１は、該同一の文字入力キーが押下される毎に、アクセント文字選択テーブル６６の「アクセント記号」の「ウムラウト記号７１」に対応する「ＣＡＰＳロック」から表示画面に点滅表示されているアクセント文字の次の順番のアクセント文字を選択して、「ウムラウトＥ」→「ウムラウトＩ」→「ウムラウトＯ」→「ウムラウトＵ」と表示画面に順次点滅表示する。
そしてまた、図１９（Ｇ）に示すように、再度同一の文字入力キーが押下された場合には、アクセント文字選択テーブル６６の「アクセント記号」の「ウムラウト記号７１」に対応する「ＣＡＰＳロック」から、再度第１順位の「ウムラウトＡ」を選択して、表示画面に点滅表示する。
【００８８】
また、図１９（Ｉ）に示すように、他の文字入力キーが押下された場合には、ＣＰＵ５１は、点滅表示されている「ウムラウトＡ」を表示画面に確定表示すると共に、この文字をテキストメモリ５７Ａに印字文字データとして記憶後、カーソルＫ１を表示して通常表示画面の状態に戻る。
【００８９】
また、他の表示例として図２０（Ａ）に示すように、入力文字の種類は、アルファベット小文字に設定されているため、液晶表示装置６の表示画面の左端部に示される各文字種マークＭ１、Ｍ２は白丸の表示である。そして、アクセント入力キー１２１を押下してアクサンテギュ記号７２を選択した場合には、表示画面に該アクサンテギュ記号７２が点滅表示される。
そして、図２０（Ｂ）に示すように、文字入力キー１２２〜１３０のうちいずれかの文字入力キーが押下された場合には、アクセント文字選択テーブル６６の「アクセント記号」の「アクサンテギュ記号７２」に対応する「通常」から第１順位の「アクサンテギュａ」を選択して、表示画面に点滅表示する。
続いて、図２０（Ｃ）〜（Ｆ）に示すように、再度同一の文字入力キーが連続して押下された場合には、ＣＰＵ５１は、該同一の文字入力キーが押下される毎に、アクセント文字選択テーブル６６の「アクセント記号」の「アクサンテギュ記号７２」に対応する「通常」から表示画面に点滅表示されているアクセント文字の次の順番のアクセント文字を選択して、「アクサンテギュｅ」→「アクサンテギュｉ」→「アクサンテギュｏ」→「アクサンテギュｕ」と表示画面に順次点滅表示する。
【００９０】
そしてまた、図２０（Ｇ）〜（Ｈ）に示すように、再度同一の文字入力キーが連続して押下された場合には、アクセント文字選択テーブル６６の「アクセント記号」の「アクサンテギュ記号７２」に対応する「通常」から、再度、第１順位から順次アクセント文字が選択され、「アクサンテギュａ」→「アクサンテギュｅ」と表示画面に順次点滅表示する。
また、図２０（Ｉ）に示すように、他の文字入力キーが押下された場合には、ＣＰＵ５１は、点滅表示されている「アクサンテギュｅ」を表示画面に確定表示すると共に、この文字をテキストメモリ５７Ａに印字文字データとして記憶後、カーソルＫ１を表示して通常表示画面の状態に戻る。
【００９１】
上記の通り、第３実施形態に係るテープ印字装置では、アクセント入力キー１２１を押下してアクセント記号を選択した後、各文字入力キー１２２〜１３０のうちのいずれかの文字入力キーを複数回連続して押下した場合には、該同一の文字入力キーが押下される毎に、アクセント文字選択テーブル６６に記憶される該アクセント記号が付されたアクセント文字が所定の順番に従って順次入力可能な文字として選択されて、順次点滅表示される。そして、他の文字入力キーを押下することにより点滅表示されているアクセント文字が確定表示され、この文字がテキストメモリ５７Ａに印字文字データとして記憶される。
従って、上記第１実施形態に係るテープ印字装置１の作用効果に加えて、アクセント入力キー１２１を押下して、アクセント記号を選択後、各文字入力キー１２２〜１３０のうちのいずれかの文字入力キーを選択して押下し、この最初に選択した文字入力キーを連続して押下することによって、このアクセント記号が付された所望のアクセント文字を選択することができ、文字入力装置の更なる操作性の向上を図ることができる。
【００９２】
尚、本発明は前記第１実施形態乃至第３実施形態に限定されることはなく、本発明の要旨を逸脱しない範囲内で種々の改良、変形が可能であることは勿論である。例えば、以下のようにしてもよい。
（Ａ）前記第１実施形態乃至第３実施形態では、キー文字記憶領域５６Ｃにキー文字選択テーブル６５を記憶したが、図２１に示すように、キー文字記憶領域５６Ｃに、このキー文字選択テーブル６５に替えて、通常時キー文字選択テーブル７１とアクセント入力時キー文字選択テーブル７２とを記憶し、通常時の入力時（Ｓ４：ＮＯ）には、この通常時キー文字選択テーブル７１に基づいてＳ６の処理を実行し、一方、アクセント文字の入力モードになっている場合には（Ｓ４：ＹＥＳ）、このアクセント入力時キー文字選択テーブル７２から該押下された各文字入力キー１２２〜１３０に対応する「通常」又は「ＣＡＰＳロック」に登録されている文字を順次読み出し、液晶表示装置６に点滅表示（又は白黒反転表示など）を行い、再度Ｓ２以降の処理を実行するようにしてもよい。
【００９３】
例えば、図２２に示すように、アルファベット大文字の通常入力モード時に、表面に「ｄ、ｅ、ｆ、３」が印刷される文字入力キーを連続して押下した場合には、「Ｄ」→「Ｅ」→「Ｆ」→「Ｄ」→・・・と繰り返し順次点滅表示される。一方、図２３に示すように、アルファベット大文字のアクセント文字の入力モード時に、表面に「ｄ、ｅ、ｆ、３」が印刷される文字入力キーを連続して押下した場合には、「ウムラウトＥ」→「アクサンテギュＥ」→「アクサングラーブＥ」→「アクサンシルコンフレックスＥ」→「ウムラウトＥ」→・・・と繰り返し順次点滅表示される。
これにより、各文字入力キー１２２〜１３０を連続して押下した場合には、通常時の入力モード時にはアクセント文字は点滅表示されず、アルファベット文字又は数字のみを選択することができ、アクセント文字入力時には、アクセント文字のみを選択することができるため、テープ印字装置の更なる操作性の向上を図ることができる。尚、キー文字切替順記憶領域５６Ｃは、第４記憶手段及び第５記憶手段として機能する。また、各文字入力キー１２１〜１３０、ＣＰＵ５１、ＲＯＭ５６は、通常文字選択手段を構成する。
【００９４】
（Ｂ）前記第２実施形態のＳ４８における判定処理に替えて、キー文字選択テーブル６５の他のキーに対応する各「通常」又は各「ＣＡＰＳロック」に、点滅表示されているアクセント文字に付された「アクセント記号」に対応するアクセント文字が記憶されているか否かを順番に判定する判定処理を実行する構成にしてもよい。これにより、アクセント文字選択テーブル６６を記憶する必要が無くなり、メモリ容量の小型化を図ることができる。
【００９５】
【発明の効果】
以上説明した通り、本発明に係る文字入力装置によれば、アクセント切替キーを押下することによって入力文字切替手段を介して文字入力キーに割り付けられたアクセント文字が入力可能な文字となるように切り替えられるため、該文字入力キーを所定回数押下することなく、直接アクセント文字を入力することができ、アクセント文字の入力を迅速かつ簡易に行うことが可能となる。
【００９６】
また、本発明に係るテープ印字装置によれば、アクセント切替キーを押下することによって入力文字切替手段を介して文字入力キーに割り付けられたアクセント文字が入力可能な文字となるように切り替えられるため、該文字入力キーを所定回数押下することなく、直接アクセント文字を入力することができ、アクセント文字の入力を迅速かつ簡易に行うことが可能となる。また、主として使用するアクセント文字に付されるアクセント記号に対して所定の第１順番の第１順位を予め付することによって、アクセント切替キーを１回押下すると主として使用するアクセント文字が選択可能となるため、アクセント切替キーの押下回数を確実に削減することができ、アクセント文字の入力を迅速かつ簡易に行うことが可能となる。また、アクセント切替キーによって切り替え可能なアクセント記号の種類を予め多く登録しておいても、アクセント切替キーの押下回数を確実に削減でき、引いてはテープ印字装置の操作性の向上を図ることができる。
【図面の簡単な説明】
【図１】第１実施形態に係るテープ印字装置の概略外観斜視図である。
【図２】第１実施形態に係るテープ印字装置の概略平面図である。
【図３】第１実施形態に係るテープ印字装置の概略断面図である。
【図４】第１実施形態に係るテープ印字装置に装着される背面カバーを外してテープカセットを装着した状態を示す概略底面図である。
【図５】第１実施形態に係るテープ印字装置の制御構成を示すブロック図である。
【図６】第１実施形態に係るテープ印字装置のキー文字記憶領域に格納されるキー文字選択テーブルの一例を示す図である。
【図７】第１実施形態に係るテープ印字装置のアクセント文字記憶領域に格納されるアクセント文字選択テーブルの一例を示す図である。
【図８】第１実施形態に係るテープ印字装置のアルファベット小文字やアクセント文字などの文字入力の制御処理を示すメインフローチャートである。
【図９】第１実施形態に係るテープ印字装置の文字入力／表示処理（Ｓ６）の処理において、アルファベット大文字の入力モード時に、表面に「ｄ、ｅ、ｆ、３」が印刷される文字入力キーを連続して押下した場合における、液晶表示装置の表示画面の一例を示す図で、（Ａ）は１回目押下した場合の表示画面を示す図、（Ｂ）は２回目押下した場合の表示画面を示す図、（Ｃ）は３回目押下した場合の表示画面を示す図、（Ｄ）は４回目押下した場合の表示画面を示す図、（Ｅ）は５回目押下した場合の表示画面を示す図、（Ｆ）は６回目押下した場合の表示画面を示す図、（Ｇ）は７回目押下した場合の表示画面を示す図で、更に同一文字入力キーが押下された場合は、（Ａ）以降の表示画面が表示される。
【図１０】第１実施形態に係るテープ印字装置の文字入力の制御処理時に実行されるアクセント記号表示処理を示すサブフローチャートである。
【図１１】第１実施形態に係るテープ印字装置のアルファベット小文字の入力モード時に、アクセント入力キーが押下された場合における、液晶表示装置の表示画面の一例を示す図で、（Ａ）は１回目押下した場合の表示画面を示す図、（Ｂ）は２回目押下した場合の表示画面を示す図、（Ｃ）は３回目押下した場合の表示画面を示す図、（Ｄ）は４回目押下した場合の表示画面を示す図、（Ｅ）は５回目押下した場合の表示画面を示す図で、更にアクセント入力キーが押下された場合は、（Ａ）以降の表示画面が表示される。
【図１２】第１実施形態に係るテープ印字装置の文字入力の制御処理時に実行されるアクセント文字入力／表示処理を示すサブフローチャートである。
【図１３】第１実施形態に係るテープ印字装置のアルファベット大文字の入力モード時に、アクセント入力キーを押下してウムラウト記号を選択後、表面に「ａ、ｂ、ｃ、２」が印刷される文字入力キーが押下された場合における、液晶表示装置の表示画面の一例を示す図で、（Ａ）はウムラウト記号が選択されている表示画面を示す図、（Ｂ）は該同一の文字入力キーが１回以上押下された場合の表示画面を示す図、（Ｃ）は他の文字入力キーが押下された場合の表示画面を示す図である。
【図１４】第１実施形態に係るテープ印字装置のアルファベット大文字の入力モード時に、アクセント入力キーを押下してチルダー記号を選択後、表面に「ｍ、ｎ、ｏ、６」が印刷される文字入力キーが押下された場合における、液晶表示装置の表示画面の一例を示す図で、（Ａ）はチルダー記号が選択されている表示画面を示す図、（Ｂ）は該文字入力キーの１回目の押下の表示画面を示す図、（Ｃ）は該文字入力キーの２回目の押下の表示画面を示す図、（Ｄ）は他の文字入力キーが押下された場合の表示画面を示す図である。
【図１５】第２実施形態に係るテープ印字装置の文字入力の制御処理時に実行されるアクセント文字入力／表示処理を示すサブフローチャートである。
【図１６】第２実施形態に係るテープ印字装置のアルファベット大文字の入力モード時に、アクセント入力キーを押下してウムラウト記号を選択後、表面に「ｍ、ｎ、ｏ、６」が印刷される文字入力キーが押下された場合における、液晶表示装置の表示画面の一例を示す図で、（Ａ）はウムラウト記号が選択されている表示画面を示す図、（Ｂ）は該同一の文字入力キーの１回目の押下の表示画面を示す図、（Ｃ）は該同一の文字入力キーの２回目の押下の表示画面を示す図、（Ｄ）は該同一の文字入力キーの３回目の押下の表示画面を示す図、（Ｅ）は該同一の文字入力キーの４回目の押下の表示画面を示す図、（Ｆ）は該同一の文字入力キーの５回目の押下の表示画面を示す図、（Ｇ）は該同一の文字入力キーの６回目の押下の表示画面を示す図、（Ｈ）は他の文字入力キーが押下された場合の表示画面を示す図である。
【図１７】第２実施形態に係るテープ印字装置のアルファベット小文字の入力モード時に、アクセント入力キーを押下してチルダー記号を選択後、表面に「ｍ、ｎ、ｏ、６」が印刷される文字入力キーが押下された場合における、液晶表示装置の表示画面の一例を示す図で、（Ａ）はチルダー記号が選択されている表示画面を示す図、（Ｂ）は該同一の文字入力キーの１回目の押下の表示画面を示す図、（Ｃ）は該同一の文字入力キーの２回目の押下の表示画面を示す図、（Ｄ）は該同一の文字入力キーの３回目の押下の表示画面を示す図、（Ｅ）は他の文字入力キーが押下された場合の表示画面を示す図である。
【図１８】第３実施形態に係るテープ印字装置の文字入力の制御処理時に実行されるアクセント文字入力／表示処理を示すサブフローチャートである。
【図１９】第３実施形態に係るテープ印字装置のアルファベット大文字の入力モード時に、アクセント入力キーを押下してウムラウト記号を選択後、いずれかの文字入力キーが押下された場合における、液晶表示装置の表示画面の一例を示す図で、（Ａ）はウムラウト記号が選択されている表示画面を示す図、（Ｂ）は該いずれかの文字入力キーの１回目の押下の表示画面を示す図、（Ｃ）は該同一の文字入力キーの２回目の押下の表示画面を示す図、（Ｄ）は該同一の文字入力キーの３回目の押下の表示画面を示す図、（Ｅ）は該同一の文字入力キーの４回目の押下の表示画面を示す図、（Ｆ）は該同一の文字入力キーの５回目の押下の表示画面を示す図、（Ｇ）は該同一の文字入力キーの６回目の押下の表示画面を示す図、（Ｈ）は他の文字入力キーが押下された場合の表示画面を示す図である。
【図２０】第３実施形態に係るテープ印字装置のアルファベット小文字の入力モード時に、アクセント入力キーを押下してチルダー記号を選択後、いずれかの文字入力キーが押下された場合における、液晶表示装置の表示画面の一例を示す図で、（Ａ）はチルダー記号が選択されている表示画面を示す図、（Ｂ）は該いずれかの文字入力キーの１回目の押下の表示画面を示す図、（Ｃ）は該同一の文字入力キーの２回目の押下の表示画面を示す図、（Ｄ）は該同一の文字入力キーの３回目の押下の表示画面を示す図、（Ｅ）は該同一の文字入力キーの４回目の押下の表示画面を示す図、（Ｆ）は該同一の文字入力キーの５回目の押下の表示画面を示す図、（Ｇ）は該同一の文字入力キーの６回目の押下の表示画面を示す図、（Ｈ）は該同一の文字入力キーの７回目の押下の表示画面を示す図、（Ｉ）は他の文字入力キーが押下された場合の表示画面を示す図である。
【図２１】他の実施形態に係るテープ印字装置のキー文字記憶領域に格納される文字を選択する際に使用するテーブルの一例を示す図で、（Ａ）は通常入力時に選択される通常時キー文字選択テーブル、（Ｂ）はアクセント文字入力時に選択されるアクセント入力時キー文字選択テーブルを示す図である。
【図２２】他の実施形態に係るテープ印字装置の文字入力／表示処理（Ｓ６）の処理において、アルファベット大文字の通常入力モード時に、表面に「ｄ、ｅ、ｆ、３」が印刷される文字入力キーを連続して押下した場合における、液晶表示装置の表示画面の一例を示す図で、（Ａ）は１回目押下した場合の表示画面を示す図、（Ｂ）は２回目押下した場合の表示画面を示す図、（Ｃ）は３回目押下した場合の表示画面を示す図で、更に同一文字入力キーが押下された場合は、（Ａ）以降の表示画面が表示される。
【図２３】他の実施形態に係るテープ印字装置の文字入力／表示処理（Ｓ６）の処理において、アルファベット大文字のアクセント文字の入力モード時に、表面に「ｄ、ｅ、ｆ、３」が印刷される文字入力キーを連続して押下した場合における、液晶表示装置の表示画面の一例を示す図で、（Ａ）は１回目押下した場合の表示画面を示す図、（Ｂ）は２回目押下した場合の表示画面を示す図、（Ｃ）は３回目押下した場合の表示画面を示す図、（Ｄ）は４回目押下した場合の表示画面を示す図で、更に同一文字入力キーが押下された場合は、（Ａ）以降の表示画面が表示される。
【符号の説明】
１                テープ印字装置
２                本体
６                液晶表示装置
９                感熱テープ
２６              テープカセット
３３              サーマルヘッド
５１              ＣＰＵ
５６              ＲＯＭ
５６Ｂ            アクセント切替順記憶領域
５６Ｃ            キー文字記憶領域
５６Ｄ            アクセント文字記憶領域
５７              ＲＡＭ
６５              キー文字選択テーブル
６６              アクセント文字選択テーブル
７１              通常時キー文字選択テーブル
７２              アクセント入力時キー文字選択テーブル
１２１            アクセント入力キー
１２２〜１３０    文字入力キー
１３１            記号入力キー
１３２            文字種切替キー
Ｍ１、Ｍ２        文字種マーク
Ｋ１              カーソル
【図１】
2004299175.tif 000003
【図２】
2004299175.tif 000004
【図３】
2004299175.tif 000005
【図４】
2004299175.tif 000006
【図５】
2004299175.tif 000007
【図６】
2004299175.tif 000008
【図７】
2004299175.tif 000009
【図８】
2004299175.tif 000010
【図９】
2004299175.tif 000011
【図１０】
2004299175.tif 000012
【図１１】
2004299175.tif 000013
【図１２】
2004299175.tif 000014
【図１３】
2004299175.tif 000015
【図１４】
2004299175.tif 000016
【図１５】
2004299175.tif 000017
【図１６】
2004299175.tif 000018
【図１７】
2004299175.tif 000019
【図１８】
2004299175.tif 000020
【図１９】
2004299175.tif 000021
【図２０】
2004299175.tif 000022
【図２１】
2004299175.tif 000023
【図２２】
2004299175.tif 000024
【図２３】
2004299175.tif 000025